(57)【要約】【課題】固い地盤であってもその掘削が行えるだけでなく、改良すべき地盤中に固体あるいは塊が混入していても、これらを撹拌機に到達する前に発見して除去作業が行え、土壌改良を効果的に行える地盤改良装置を提供すること。【解決手段】パワーショベル２０に取り付けられる装置本体１１と、この装置本体１１の上下方向に取り付けられて、互いに平行に配列される複数のリッパー１２と、これらのリッパー１２の背面側に配置されて、各リッパー１２間を通過してきた泥土を粉砕する撹拌機１３と、この撹拌機１３を駆動する駆動機１４とを備えたこと。【選択図】図３
2014095258.tif 000002
【特許請求の範囲】
【請求項１】
パワーショベルまたはバックホウに、そのバケットに代えて取り付けられて、地盤の掘削、粉砕、及び土壌改良材との混合を行う地盤改良装置であって、
前記パワーショベルまたはバックホウに取り付けられる装置本体と、この装置本体の上下方向に取り付けられて、互いに平行に配列される複数のリッパーと、これらのリッパーの背面側に配置されて、各リッパー間を通過してきた泥土を粉砕する撹拌機と、この撹拌機を駆動する駆動機とを備えたことを特徴とする地盤改良装置。
【請求項２】
前記装置本体の下方に転圧板を配置したことを特徴とする請求項１に記載の地盤改良装置。
【発明の詳細な説明】
【技術分野】
【０００１】
本発明は、道路や駐車場、あるいは住宅地の地盤を改良する装置に関し、特に、バケットに代えてパワーショベル、バックホウ等に取り付けられて、このパワーショベル等の駆動力を利用しながら使用される地盤改良装置に関するものである。
【背景技術】
【０００２】
「地盤改良」なる用語は、単に地盤土壌を「転圧」することによって締め固めることを言うこともあるが、近年、一般的には、耐震効果を高めたり、地盤の液状化現象を抑えるために、地盤を構成している土中に、セメント系、石灰系、あるいはスラグ系等の固化材を混ぜて改良を行うことに用いられている。
【０００３】
例えば、固化材であるセメントは、改良すべき地盤上に直接散布することも多く、風によって飛び散ることも多いから、何らかの養生を行わなければならない。この問題については、出願人も「湿潤セメント製造・散布装置」を種々提案して、ほぼ改善してきている。
【０００４】
また、地盤改良を行う装置としては、「スタビライザー」や「トレンチャー」が知られていて、現在も使用されている。スタビライザーは、比較的表層で広い面積の地盤の改良を行うのに適しており、トレンチャーは、強固な鎖に掘削刃をコンベア状かつエンドレス状に取り付けたもので、地盤の深層を改良するのに適したものである。
【０００５】
一般に、地盤改良が必要なのは、道路や駐車場、店舗や住宅用の敷地が多いが、これらの施工場所は、他の構造物の壁等の近くにあったり、狭い場所であったりすると、広い面積の地盤改良を目的とするスタビライザーも、地盤の深層を改良するトレンチャーも、使い勝手が悪い。
【０００６】
このため、店舗や住宅の土木構造物用の基礎や地盤を改良するのに適したものとして、例えば、特許文献１や特許文献２にて提案されているものがある。
【先行技術文献】
【特許文献】
【０００７】
【特許文献１】特開平５−３４６０２６号公報、要約、代表図
【特許文献２】特許第５０１５４９３号掲載公報、図３
【発明の概要】
【発明が解決しようとする課題】
【０００８】
特許文献１にて提案されている「バックホーのバケット構造」は、「バックホーにより軟弱地盤等の地盤・土質改良作業を効率よく行なえるようにすること」を目的としてなされたもので、図８に示すように、「バケット本体に、土質改良材供給口を設け、同土質改良材供給口を通して土質改良材供給装置より土質改良材をバケット本体内に供給可能とし、バケット本体内に掘削土を撹拌するための撹拌装置を設けた」という構成を有するものである。
【０００９】
また、特許文献２にて提案されている「地盤改良装置および地盤改良機」は、「一定範囲内の地盤を効率よく地盤改良することができる地盤改良装置および地盤改良機を提供すること」を目的としてなされたもので、図９に示すように、「作業機のアーム先端部に回動可能に取り付けられて地盤中を移動し地盤改良を行う地盤改良装置２であって、厚さ方向に離して配置されたサイドフレーム１０、１１を上フレーム１３および下フレーム１４により連結して略矩形状の開口部１８を形成し、上フレーム１３に作業機のアーム先端に対する取付孔を設けた門型枠と、サイドフレーム１０、１１および下フレーム１４から開口部１８の少なくとも一方の開口方向に向けて突設されたサイドビッド１０ｃ、１１ｃ、ベースビッド１４ｃと、門型枠の開口部１８の内側で、サイドフレーム１０、１１にそれぞれ直交する方向に延ばされた回転軸１６とともに回転して、地盤を攪拌する複数の攪拌翼１７とを備える」といった構成を有するものである。
【００１０】
しかしながら、上記の特許文献１にて提案されている「バックホーのバケット構造」も、特許文献２にて提案されている「地盤改良装置および地盤改良機」も、地盤改良が必要な施工場所に古いコンクリート基礎の塊や比較的大きな石等の土ではない固体が混入していた場合に対処できないものとなっている。
【００１１】
何故なら、特許文献１の「バックホーのバケット構造」では、バケットの下部先端の「掘削刃１６」によって掘削した土を、バケット内の撹拌刃２１によって撹拌するものとなっているからであり、特許文献２にて提案されている「地盤改良装置および改良機」地盤では、「撹拌翼１７」によって地盤の掘削と撹拌とを同時に行うものとなっているからである。
【００１２】
換言すれば、いずれの技術も、掘削できない固い塊が地盤中に混入していると、これによって「掘削刃１６」（特許文献１の場合）や、「撹拌翼１７」（特許文献２の場合）が直ちに破損されてしまって、以降の作業が行えなくなると考えられるのである。また、上記特許文献１や２の技術では、地盤そのものが非常に硬い場合には、「掘削刃１６」や「撹拌翼１７」の回転では掘削や撹拌が行えないこともある。
【００１３】
そこで、本発明者等は、硬い地盤であっても、また、地盤改良を行うべき土中に、古いコンクリート基礎の塊や比較的大きな石等の土ではない固体が混入していても、装置の損傷を招かないようにして、地盤改良を安定的に進行させるようにするにはどうしたらよいか、について種々検討を重ねてきた結果、本発明を完成したのである。
【００１４】
すなわち、本発明の目的とするところは、固い地盤であっても、その地盤掘削や掘削した土壌の解しが行えるだけでなく、改良すべき地盤中に固体が混入していても、これを撹拌刃に到達する前に除去作業が行えるようにした地盤改良装置を提供することにある。
【課題を解決するための手段】
【００１５】
以上の課題を解決するために、まず、請求項１に係る発明の採った手段は、後述する実施形態の説明中で使用する符号を付して説明すると、
「パワーショベルまたはバックホウ２０に、そのバケットに代えて取り付けられて、地盤の掘削、粉砕、及び土壌改良材との混合を行う地盤改良装置１０であって、
パワーショベルまたはバックホウ２０に取り付けられる装置本体１１と、この装置本体１１の上下方向に取り付けられて、互いに平行に配列される複数のリッパー１２と、これらのリッパー１２の背面側に配置されて、各リッパー１２間を通過してきた泥土を粉砕する撹拌機１３と、この撹拌機１３を駆動する駆動機１４とを備えたことを特徴とする地盤改良装置１０」
である。
【００１６】
すなわち、この請求項１に係る地盤改良装置１０は、図１にも示すように、パワーショベルまたはバックホウ２０（以下、単にパワーショベル２０という）に、そのバケットに代えて取り付けられて、地盤の掘削、粉砕、及び土壌改良材との混合を行うものであり、図３〜図５に示すように、主として、装置本体１１と、この装置本体１１の上下方向に取り付けられて、互いに平行に配列される複数のリッパー１２と、これらのリッパー１２の背面側に配置されて、各リッパー１２間を通過してきた泥土を粉砕する撹拌機１３と、この撹拌機１３を駆動する駆動機１４とを備えたものである。
【００１７】
なお、パワーショベル２０に取り付けられた当該地盤改良装置１０は、パワーショベル２０及びそのブーム２１やアーム２２の駆動によって、図２中に示す弧のような軌跡を描いて駆動されるものである。また、この地盤改良装置１０を構成している駆動機１４にはパワーショベル２０から電力または圧油が供給されるものであり、図２中に示す後述する配管１７には、セメント等の地盤改良材あるいは固化材３０の飛散を防止するための水が、パワーショベル２０側から供給されるようになっている。
【００１８】
装置本体１１は、パワーショベル２０に、そのバケットに代えて直接取り付けられる部分であり、後述するリッパー１２、撹拌機１３、及び駆動機１４等を直接的に支持するものである。勿論、この装置本体１１の上面には、図３に示すように、パワーショベル２０のアーム２２やシリンダ２３あるいはリンクを連結するための連結部分が設けてあることは当然である。
【００１９】
また、この装置本体１１の上面の左右には、図４及び図５に示すように、土中への貫入幅を決定し、撹拌機１３を支持する側板が設けられているもので、この装置本体１１の概略形状は、所謂「門型」となっているものである。つまり、この装置本体１１の前面部は、各リッパー１２にて粉砕した土壌を受け入れるため、また後面部は、撹拌機１３にて撹拌した土壌を排出するために、それぞれ開放されているものである。なお、この装置本体１１を構成している各側板の下部は、その門型形状を維持するための補強部材や、後述する転圧板１５によって連結されることがある。
【００２０】
さて、この地盤改良装置１０を使用して施工場所の土壌改良を行うのであるが、施工場所には作業を行う前に、セメント系、石灰系、あるいはスラグ系等の固化材３０が散布される。この固化材３０は、地盤改良装置１０の作動によって土壌が掘削、粉砕される際に土壌中に混入されものであり、自らの固化によって粉砕された土壌の固化をも行うものである。つまり、この固化材３０は、地盤の改良を実質的に行うものであり、この固化材３０を地盤中に効果的に混入させるのが、本発明に係る地盤改良装置１０なのである。
【００２１】
なお、この装置本体１１の底部に設けられる補強部材や転圧板１５は、各リッパー１２にて粉砕した土壌を受け止めるために、先端が下方に向かうように装置本体１１の下端部に傾斜状態で設けられるもので、各リッパー１２間を通り抜けてきた土壌を受け止めて撹拌機１３の下方へ案内できるようにするものである。なお、上記の補強部材は、各側板の広がり防止と、各リッパー１２間を通り抜けてきた土壌を受け止めて撹拌機１３の下方へ案内とが行えるだけで十分であり、土壌を掬い上げる必要性はないものである。
【００２２】
さて、各リッパー１２は、当該地盤改良装置１０がパワーショベル２０によって図１のように動かされる際には、常にパワーショベル２０側に向かうものとなるし、各リッパー１２の先端は地盤に向かうものとなる。このため、パワーショベル２０を操作して、丁度そのバケットが土を掬い上げるように地盤改良装置１０を動かすと、各リッパー１２の先端が土壌改良の必要な地盤内に突き刺さる。ここで、地盤内にコンクリートや石等の塊がなければ、当該地盤改良装置１０は何等の衝撃も受けないから、そのことを確認して地盤改良装置１０をさらに貫入させながら、パワーショベル２０によって手前側（パワーショベル２０側）に引き寄せるのである。
【００２３】
この地盤改良装置１０の貫入時及び引き寄せ時には、各リッパー１２の貫入、及び各リッパー１２の動きによって、土壌の「解し」がまず行われる。そして、この地盤改良装置１０においては、その駆動機１４によって撹拌機１３を駆動状態にしておけば、各リッパー１２の間から装置本体１１内に送り込まれた土壌が粉砕されながら、地盤上に予め散布されていた固化材３０との混合がなされるのである。これによって、地盤は、図１の図示右側から左側に向けて、固化材３０が万遍なく混合されて行くのである。
【００２４】
ここで、土壌改良すべき地盤について、その解しや粉砕が、当該地盤改良装置１０の１回の操作では行えないような、比較的固い土質である場合でも、本地盤改良装置１０を使用することによって地盤改良作業が容易に行える。
【００２５】
上述したように、当該地盤改良装置１０がパワーショベル２０によって動かされる際には、各リッパー１２の先端が最初に地盤に向かうものとなる。ここで、さらにパワーショベル２０を操作して地盤改良装置１０を動かすと、各リッパー１２の先端が固い地盤内に所定の深さまで突き刺さって止まる。それ以上の突き刺しは、当該硬い地盤に対しては無理があるので、今度はパワーショベル２０を操作して、当該地盤改良装置１０をパワーショベル２０の手前側に一旦引き寄せて、各リッパー１２が突き刺さった深さまでの各リッパー１２による土壌の解しと、撹拌機１３による粉砕とを行う。
【００２６】
各リッパー１２による土壌の掘り起こしや解しと、撹拌機１３による粉砕や撹拌が行われることは、当該地盤改良装置１０の機能上、非常に有用である。何故なら、地盤改良装置１０の本来の機能は、改良すべき土壌中に固化材３０を混入して、この固化材３０の固化作用によって地盤の高質化を図るものであるが、各リッパー１２によって、土壌の掘り起こしや解し、その際の固化材３０との混合、そして、撹拌機１３によるさらなる粉砕や撹拌が行われることによって、固化材３０の土壌中への混合が十分かつ均等になるからである。固化材３０の土壌中への混合が十分かつ均等になれば、土壌の改良も十分かつ均等になることになる。
【００２７】
次に、地盤改良装置１０を元の位置に戻して、再度上述した硬い地盤への各リッパー１２の突き刺しを行って、２回目の所定深さの土壌改良を行う。これを繰り返すことによって、硬い地盤であっても、目標とする深さまでの土壌改良を行うのである。この間、固い土壌は、各リッパー１２によってある程度まで解され粉砕されるから、撹拌機１３に負担を掛けることはない。
【００２８】
勿論、各リッパー１２は、図４及び図５に示すように、装置本体１１の手前側にて互いに平行でかつ複数設けてあるから、その先端の硬い土壌表面に対する所定深さの突き刺しが問題なくなされるのであり、土壌表面がコンクリートや石等の塊でない限り、土壌改良作業は安定して行えるのである。
【００２９】
ところで、上記のような作業中において、地盤の表面あるいは中にコンクリートや石等の塊が存在していたときには、各リッパー１２の突き刺しが行えないが、表面の塊に対しては、その向こう側に各リッパー１２を突き刺すようにして、当該地盤改良装置１０をパワーショベル２０によって手前側に引くようにする。これにより、表面の塊は、各リッパー１２に受け止められて引き寄せられるから、作業の邪魔にならない場所に移動させれば作業の邪魔になることはない。
【００３０】
これに対して、地盤中の塊があった場合には、この塊によって各リッパー１２による突き刺しが止まるが、この場合には、上記硬い地盤の場合と同様な操作をすればよい。これにより、塊の表面にあった土壌は削り取られながら粉砕がなされ、塊は表面に現れるため、上述したような作業によって邪魔にならない場所に移動すればよい。
【００３１】
以上のように、各リッパー１２に捕らえられたコンクリートや石等の塊は、当該地盤改良装置１０をパワーショベル２０によって手前側に引く際に、各リッパー１２の手前側に残されたまま引かれることになり、他の土壌は、各リッパー１２によって砕かれながら各リッパー１２間から撹拌機１３に向かうことになる。この土壌は、上述したように固化材３０が混合されているが、地盤改良装置１０を手前側で持ち上げたときには、コンクリートや石等の塊が各リッパー１２上に残った状態で地上に現れることになる。
【００３２】
以上の結果、コンクリートや石等の塊は装置本体１１内の撹拌機１３に衝突しないから、撹拌機１３は保護されるのである。なお、表面あるいはこれに近い部分にあったコンクリートや石等の塊については、地盤改良装置１０による土壌粉砕作業の前に、例えば図６に示すような地盤改良装置１０の押し操作によって、作業の邪魔にならない箇所に移動させておくこともできる。
【００３３】
勿論、土中にコンクリートや石等の塊が存在しているときは、このコンクリートや石等の塊上に各リッパー１２の先端がぶつかって、パワーショベル２０のそれ以上の操作ができなくなるから、各リッパー１２の下に塊が存在していることが分かる。そのときには、地盤改良装置１０を少し持ち上げてそのまま向こう側（パワーショベル２０とは反対側）に押す操作をして、塊から退避する。その後、地盤改良装置１０による土壌への貫入をさらに行えば、塊は各リッパー１２の手前側に残留して掘り起こされると同時に、当該土壌への固化材３０の混合も完了することになる。
【００３４】
なお、固化材３０が混合された土壌は、パワーショベル２０によって踏み固められるか、後述する転圧板１５などを使用することによって、所定の転圧がなされるのであり、当該土壌の改良作業が完了する。
【００３５】
従って、この請求項１に係る地盤改良装置１０は、固い地盤であってもその掘削が行えるだけでなく、改良すべき地盤中に固体あるいは塊が混入していても、これらを撹拌刃（撹拌機１３）に到達する前に除去作業が行え、土壌改良を効果的に行えるものとなっている。
【００３６】
上記課題を解決するために、請求項２に係る発明の採った手段は、上記請求項１に記載の地盤改良装置１０について、
「装置本体１１の下方に転圧板１５を配置したこと」
である。
【００３７】
転圧板１５は、図３にも示すように、装置本体１１の下方に設けられるもので、図４及び図５に示すように、装置本体１１の下端部の全幅に亘って延在するものである。また、この転圧板１５の先端は、図３に示すように、各リッパー１２の先端部後部に僅かな隙間をおいて向かわせたものであり、かつ、各リッパー１２の先端より僅かに上方に位置するようにしたものである。
【００３８】
また、この転圧板１５全体は、図３に示すように、先端が下方に向かうように装置本体１１の下端部に傾斜状態で設けられるもので、各リッパー１２間を通り抜けてきた土壌を受け止めて撹拌機１３の下方へ案内できるようにもしているものである。
【００３９】
さらに、後述する実施形態の転圧板１５では、図３に示すように、下面に多数の突起１５ｂを設けるようにしたものである。これらの突起１５ｂは、当該転圧板１５の裏面に土壌が付着するのを防止するものである。
【００４０】
さて、以上のような転圧板１５を設けた当該請求項２の地盤改良装置１０は、これを図６に示すように動かすことにより、この転圧板１５による土壌の後方への「押し出し」は勿論、上からの「土壌の整正」や「転圧」が行えるものである。
【００４１】
すなわち、この転圧板１５を有する地盤改良装置１０は、施工箇所での土壌の粉砕、及びこれと固化材３０との撹拌が済んだ後に、その部分の上方からパワーショベル２０によって上下させれば、一番下側にある転圧板１５によって撹拌土壌の表面への転圧が行えるのである。転圧とは、その土壌の上からの叩き込み作業を行うもので、これによってその土壌の「締め固め」を言うものである。なお、パワーショベル２０の操作によって、地盤改良装置１０の水平方向への動かしを行えば、この転圧板１５等によって、土壌の「均し」をも行えることになる。
【００４２】
従って、この請求項２に係る地盤改良装置１０は、上記請求項１のそれと同様な機能を発揮する他、転圧板１５によって撹拌された土壌の転圧をも行えるものとなっているのである。
【発明の効果】
【００４３】
以上説明した通り、本発明においては、
「パワーショベルまたはバックホウ２０に、そのバケットに代えて取り付けられて、地盤の掘削、粉砕、及び土壌改良材との混合を行う地盤改良装置１０であって、
パワーショベルまたはバックホウ２０に取り付けられる装置本体１１と、この装置本体１１の上下方向に取り付けられて、互いに平行に配列される複数のリッパー１２と、これらのリッパー１２の背面側に配置されて、各リッパー１２間を通過してきた泥土を粉砕する撹拌機１３と、この撹拌機１３を駆動する駆動機１４とを備えたこと」
にその構成上の主たる特徴があり、これにより、固い地盤であってもその掘削が行えるだけでなく、改良すべき地盤中に固体あるいは塊が混入していても、これらを撹拌機１３に到達する前に除去作業が行え、土壌改良を効果的に行える地盤改良装置１０を提供することができるのである。
【図面の簡単な説明】
【００４４】
【図１】本発明に係る地盤改良装置１０によって土壌改良作業を行っている様子を示す側面図である。
【図２】同地盤改良装置１０がパワーショベルまたはバックホウ２０によって動かされる範囲を例示する側面図である。
【図３】同地盤改良装置１０の拡大側面図である。
【図４】同地盤改良装置１０の拡大背面図である。
【図５】同地盤改良装置１０の拡大正面図である。
【図６】転圧板１５を有した同地盤改良装置１０が転圧作業を行っている様子を示す側面図である。
【図７】同地盤改良装置１０を構成している各リッパー１２を示すもので、（ａ）は正面図、（ｂ）は背面図である。
【図８】特許文献１に示された技術を示す背面図である。
【図９】特許文献２に示された技術を示す背面図である。
【発明を実施するための形態】
【００４５】
次に、以上のように構成した各請求項に係る発明について、図面に示した実施の形態である地盤改良装置１０について説明すると、図１には、この地盤改良装置１０によって土壌への貫入、土壌の掘り進みや起こし、土壌の粉砕及び撹拌を行っている様子が示してある。また、図２には、パワーショベル２０によってこの地盤改良装置１０が動かされる範囲と様子が示してある。
【００４６】
地盤改良装置１０は、図１〜図３に示したように、パワーショベルまたはバックホウ２０に、そのバケットに代えて取り付けられるもので、パワーショベル２０に直接取り付けられる装置本体１１と、この装置本体１１の上下方向に取り付けられて、互いに平行に配列される複数のリッパー１２と、これらのリッパー１２の背面側に配置されて、各リッパー１２間を通過してきた泥土を粉砕する撹拌機１３と、この撹拌機１３を駆動する駆動機１４とを備えたものである。
【００４７】
パワーショベルまたはバックホウ２０（以下、単にパワーショベル２０という）については、一般的に市販され使用されているものを採用するものであるが、このパワーショベル２０は、通常、図２に示したように、キャタピラ駆動され、自在に転回する運転席を備えた本体を有しているものである。この本体にはブーム２１が取り付けられ、このブーム２１の先にはブーム２１に対して上下動するアーム２２が連結されていて、これらのブーム２１やアーム２２は、作動油等の駆動流体が本体から供給されるシリンダ２３やリンク等によって、本体側で自在に操作されるものである。従って、このパワーショベル２０に連結された本発明に係る地盤改良装置１０は、図１及び図２に示したように、一般的なパワーショベル２０が備えているバケットのように、土中に差し込まれたり、土壌を手前側に引き寄せたり掬い上げたり、あるいは向こう側に押されたりすることになる。
【００４８】
装置本体１１は、パワーショベル２０において採用されている一般的なバケットに代えてパワーショベル２０に取り付けられる門型形状にしたもので、その上部は、後述する２つの駆動機１４を包み込んで保護する箱形にしてある。この装置本体１１の箱形上部の天板には、パワーショベル２０のアーム２２やシリンダ２３あるいはリンクを連結するための連結部分が形成してある。
【００４９】
一方、この装置本体１１の箱形上部より下側部分では、図３に示したように、各リッパー１２にて掘り起こした土壌を受け入れたり、撹拌機１３にて粉砕及び撹拌した土壌を排出するために、開放したものとなっている。また、この装置本体１１は、各リッパー１２にて掘り起こした土壌を受け入れるための底板を有していてもよいものであるが、本実施形態の装置本体１１では、この底板に代えて転圧板１５を設けるようにしてもよい。
【００５０】
さらに、本実施形態の装置本体１１では、図３〜図５に示したように、その側板下部にサイドカッター１６が一体的に設けてある。これらのサイドカッター１６は、当該装置本体１１が土壌中に貫入されるときに、掘削幅を規定しながら土壌の切り崩しを行うものであり、改良すべき土壌の切り崩しや粉砕を行うものである。
【００５１】
そして、この装置本体１１には、図３にも示したように、配管１７が設けられるが、この配管１７は、施工場所に撒かれた固化材３０や撹拌機１３で撹拌されている土壌からの粉塵が舞い上がらないようにするための水や、固化材３０を液状化させた例えばセメントミルクを供給するためのものである。この配管１７の一方には、パワーショベル２０側に設けたタンクからの配管が接続され、他方には、当該地盤改良装置１０内または周囲に開口するノズルに向かう配管が接続される。
【００５２】
この装置本体１１の手前側開口の前には、図３及び図５に示したように、互いに平行で複数のリッパー１２が上下方向に配置される。これらのリッパー１２は、図７に示したように、複数で横方向の連結板１２ａによって互いに連結されるものであり、各連結板１２ａの端部を装置本体１１側に連結することによって、装置本体１１と一体的にされる。
【００５３】
なお、各リッパー１２には、図７に示したように、後述する転圧板１５のための連結板１５ａが一体化されるものであり、これらの連結板１５ａの下端には、図７の（ｂ）に示したように、転圧板１５が連結される。
【００５４】
これらのリッパー１２の間隔は、適宜設定できるが、本実施形態の場合、装置本体１１の全幅が１６００ｍｍであるとき、２００ｍｍ〜３００ｍｍとしてある。このようにすれば、各リッパー１２によって掘り起こされた土壌の塊の殆どを装置本体１１内に通すことができるし、これらの間隔を超える大きさのコンクリートや石等の塊を通すことが無くて、撹拌機１３の損傷を極力低減させることができる。勿論、これらリッパー１２の間隔は、撹拌機１３の性能や掘り起こした土壌の希望する大きさ等を考慮して、適宜変更できるものであり、最小は１００ｍｍ程度、最大は４００ｍｍ程度である。
【００５５】
本実施形態のリッパー１２では、図３〜図５、及び図７に示したように、その下端にツース１８、所謂爪が取り付けてある。このツース１８は、土壌への突き刺しが容易に行えるようにすると同時に、リッパー１２の保護をも行うものであり、交換可能としたものである。勿論、各リッパー１２の下端が十分硬質で、土壌への突き刺し作業に対する耐久性が十分であれば、このツース１８は必ずしも必要となるものではない。
【００５６】
以上のリッパー１２の内側になる装置本体１１内には、掘り起こした土壌をさらに粉砕するための撹拌機１３が設置される。本実施形態における撹拌機１３は、装置本体１１の上部内に設置したモータ等の駆動機１４によって回転駆動されるものであり、その回転支持軸の両端を装置本体１１に連結したものである。また、この撹拌機１３は、回動軸の周囲に多数の粉砕刃を取り付けたものであり、これらの粉砕刃が回転駆動されることによって、装置本体１１内に送り込まれてきた土壌の粉砕を行うものである。なお、これらの粉砕刃は、これが描く円の直径が変えられるように、大きさの異なるものが用意される。
【００５７】
本実施形態の地盤改良装置１０では、図３〜図５に示したように、装置本体１１の下端部に転圧板１５を取り付けたものである。この転圧板１５は、上述したように、連結板１５ａを介して各リッパー１２に一体化することにより、結果的に装置本体１１に取り付けてある。
【００５８】
また、この転圧板１５は、図４及び図５に示したように、装置本体１１の下端部の全幅に亘って延在するものであり、この転圧板１５の先端は、図３に示したように、各リッパー１２の先端部後部に僅かな隙間をおいて向かわせ、かつ、各リッパー１２の先端より僅かに上方に位置するようにしたものである。
【００５９】
さらに、この転圧板１５全体は、図３に示したように、先端が下方に向かうように装置本体１１の下端部に傾斜状態で設けられるもので、各リッパー１２間を通り抜けてきた土壌を受け止めて撹拌機１３の下方へ案内できるようにもしている。本実施形態の転圧板１５では、図３に示したように、下面に多数の突起１５ｂを設けるようにしたものである。これらの突起１５ｂは、当該転圧板１５の裏面に土壌が付着するのを防止するものである。
【００６０】
さて、以上のような転圧板１５を設けた地盤改良装置１０は、この転圧板１５によって各リッパー１２間から送り込まれてきた掘り起こし土壌の受け取りと後方への排出とが行えることは勿論、図６に示したような撹拌土壌の転圧も行えるものである。
【００６１】
すなわち、この転圧板１５を有する地盤改良装置１０は、施工箇所での土壌の粉砕、及びこれと固化材３０との撹拌が済んだ後に、その部分の上方からパワーショベル２０によって上下させれば、一番下側にある転圧板１５によって撹拌土壌の表面への転圧が行えるのである。なお、パワーショベル２０の操作によって、地盤改良装置１０の水平方向への動かしを行えば、この転圧板１５等によって、土壌の「均し」をも行えることになる。
【符号の説明】
【００６２】
１０    地盤改良装置
１１    装置本体
１２    リッパー
１２ａ  連結板
１３    撹拌機
１４    駆動機
１５    転圧板
１５ａ  連結板
１５ｂ  突起
１６    サイドカッター
１７    配管
１８    ツース
２０    パワーショベルまたはバックホウ
２１    ブーム
２２    アーム
２３    シリンダ
３０    固化材
【図１】
2014095258.tif 000003
【図２】
2014095258.tif 000004
【図３】
2014095258.tif 000005
【図４】
2014095258.tif 000006
【図５】
2014095258.tif 000007
【図６】
2014095258.tif 000008
【図７】
2014095258.tif 000009
【図８】
2014095258.tif 000010
【図９】
2014095258.tif 000011